(57)【要約】【課題】留守中であっても外出先から留守宅への来訪者と直接通話することが出来るようにして、留守宅への訪問者に対し外出先から応対できる留守宅監視システム、監視端末装置および留守宅来訪者応対方法を提供すること。【解決手段】留守宅の訪問者や施錠荒らし行為をデジタルカメラ１０で撮影し、インターネット１００を介して例えば外出中の家族に通知する。外出中の家族は通知された情報を確認し、来訪者を識別することが可能であるため、必要であればその場で携帯電話５０を利用し通話することが出来る。また、携帯電話５０を含む携帯端末からの操作により照明を点灯させたり、警告音を発生させたり、警備会社へ通報するなど、来訪者に応じたさまざまな対応方法を選択しリアルタイムに対応する。【選択図】　　　図１
2004128835.tif 000002
【特許請求の範囲】
【請求項１】
訪問者監視対象となる家屋へ来訪した訪問者に対し外出先から応対するための留守宅監視システムであって、
ドアホンの呼鈴が訪問者により押下されると撮像装置を起動させ、前記訪問者の動画もしくは静止画の撮影を開始させ、前記撮像装置が撮影した画像データを収集し、日時データと共に記録し、前記画像データと訪問者情報をサーバへ送信する、訪問者監視対象となる家屋に設けられた監視端末装置と、
前記監視端末装置を特定する監視端末装置識別情報と、訪問者情報を受信する訪問者情報受信先を特定する訪問者情報受信先識別情報とをもとに、前記監視端末装置から前記訪問者情報を受信すると、前記訪問者情報受信先識別情報により特定される訪問者情報受信先へ、前記監視端末装置から受信した前記画像データおよび前記訪問者情報を電子メールにて配信するサーバと、
前記サーバから前記訪問者情報を受信した後、利用者により行われる発信操作により前記監視端末装置と接続され、前記利用者と前記訪問者との前記監視端末装置のドアホンを介した通話を可能にする前記訪問者情報受信先における利用者端末装置と、
を備えたことを特徴とする留守宅監視システム。
【請求項２】
訪問者監視対象となる家屋へ来訪した訪問者に対し外出先から応対するための前記訪問者監視対象となる家屋に設けられた監視端末装置であって、
留守宅の所定の場所を撮影する位置に設置され、前記訪問者の撮影を行う撮像装置と、
携帯電話、公衆電話または固定電話の利用者と前記訪問者との間の通話を行うためのドアホンとを備え、
ネットワークおよび一般加入者電話回線に接続され、前記ドアホンから信号が送られてくると前記撮像装置を使用して前記留守宅の所定の場所の動画または静止画を撮影して画像データとして蓄積し、前記蓄積したデータを前記ネットワークを介してサーバへ送信し、前記携帯電話、公衆電話または固定電話から着信があると自動応答し、前記携帯電話、公衆電話または固定電話を利用した前記ドアホンを介した前記訪問者との間の直接通話を可能にすることを特徴とする監視端末装置。
【請求項３】
訪問者監視対象となる家屋へ来訪した訪問者に対し、訪問者監視依頼者が外出先から応対するための留守宅来訪者応対方法であって、
ドアホンの呼鈴が訪問者により押下されると撮像装置を起動させ、前記訪問者の動画もしくは静止画の撮影を開始させ、その画像データを収集し、日時データと共に記録し、前記画像データと訪問者情報をサーバへ送信する来訪者情報収集ステップと、
前記画像データと訪問者情報の送信元を特定する送信元識別情報と、前記訪問者情報を受信する訪問者情報受信先を特定する訪問者情報受信先識別情報とをもとに、前記来訪者情報収集ステップにより収集され送信された前記画像データと前記訪問者情報を受信すると、前記訪問者情報受信先識別情報により特定される訪問者情報受信先の利用者端末装置へ、前記サーバが前記受信した画像データおよび前記訪問者情報を電子メールにて配信する配信ステップと、
前記配信ステップにより配信された前記訪問者情報を前記利用者端末装置において受信した後、その利用者が行う発信操作により前記利用者端末装置を前記監視端末装置と接続し、前記利用者と前記訪問者との間でドアホンを介した通話を可能にする利用者端末装置接続ステップと、
を備えたことを特徴とする留守宅来訪者応対方法。
【発明の詳細な説明】
【０００１】
【発明の属する技術分野】
本発明は、来訪者に応じたさまざまな対応方法を選択しリアルタイムに対応することの出来る留守宅監視画像送信システムに関する。
【０００２】
【従来の技術】
従来、留守宅への訪問者への対応については全く対応することが出来ない。また、ピッキング行為や空き巣を防止するためには、ドアの鍵穴を複雑にしたり、警備保障会社と警備契約を締結することで、ピッキング行為や空き巣の被害をなくそうとしている。
そこで、センサが異常を検出した場合に、監視コンピュータが公衆網を介して携帯情報端末へ警報情報を送信することが提案されている（たとえば、特許文献１参照）。
【０００３】
【特許文献１】
特開２００１−３３８３７２号公報
【０００４】
【発明が解決しようとする課題】
留守宅へ訪問者が訪れた場合やピッキング行為、空き巣などには以上のような対策で対応する他はないことから、留守宅へ訪問者が訪れた場合、家人が留守である場合には訪問者に対して全く対応することが出来ないという課題がある。
また、ピッキング行為の防止には、ドアの鍵穴を複雑にして合鍵以外のものを利用した開錠を困難にすることが出来るが、ドアをバールなどで破られた場合、ドアの鍵穴を複雑にしても全く効果がないという課題がある。
また、空き巣に侵入された場合、例えば警備会社の警備員が駆けつけるまではまったく対応できず、空き巣の被害を未然に防止することが困難であるという課題がある。
【０００５】
本発明の目的は、留守中であっても外出先から留守宅への来訪者と直接通話することが出来るようにして、留守宅への訪問者に対し外出先から応対できる留守宅監視システム、監視端末装置および留守宅来訪者応対方法を提供することにある。
【０００６】
【課題を解決するための手段】
本発明に係る留守宅監視システムは、ドアホンの呼鈴が訪問者により押下されると撮像装置を起動させ、前記訪問者の動画もしくは静止画の撮影を開始させ、前記撮像装置が撮影した画像データを収集し、日時データと共に記録し、前記画像データと訪問者情報をサーバへ送信する、訪問者監視対象となる家屋に設けられた監視端末装置と、前記監視端末装置を特定する監視端末装置識別情報と、訪問者情報を受信する訪問者情報受信先を特定する訪問者情報受信先識別情報とをもとに、前記監視端末装置から前記訪問者情報を受信すると、前記訪問者情報受信先識別情報により特定される訪問者情報受信先へ、前記監視端末装置から受信した前記画像データおよび前記訪問者情報を電子メールにて配信するサーバと、前記サーバから前記訪問者情報を受信した後、利用者により行われる発信操作により前記監視端末装置と接続され、前記利用者と前記訪問者との前記監視端末装置のドアホンを介した通話を可能にする前記訪問者情報受信先における利用者端末装置とを備えたことを特徴とする。
【０００７】
本発明の留守宅監視システムは、訪問者監視対象となる家屋に設けられた監視端末装置が、ドアホンの呼鈴が訪問者により押下されると撮像装置を起動させ、前記訪問者の動画もしくは静止画の撮影を開始させ、前記撮像装置が撮影した画像データを収集し、日時データと共に記録し、前記画像データと訪問者情報をサーバへ送信し、前記サーバは、前記監視端末装置を特定する監視端末装置識別情報と、訪問者情報を受信する訪問者情報受信先を特定する訪問者情報受信先識別情報とをもとに、前記監視端末装置から前記訪問者情報を受信すると、前記訪問者情報受信先識別情報により特定される訪問者情報受信先へ、前記監視端末装置から受信した前記画像データおよび前記訪問者情報を電子メールにて配信し、前記訪問者情報受信先における利用者端末装置は、前記サーバから前記訪問者情報を受信した後、その利用者により行われる発信操作により前記監視端末装置と接続され、前記利用者と前記訪問者とが前記監視端末装置のドアホンを介して通話が可能になるので、外出していても外出先の前記訪問者情報受信先における利用者端末装置から留守宅の来訪者に対応できる。
【０００８】
本発明に係る監視端末装置は、留守宅の所定の場所を撮影する位置に設置され、訪問者の撮影を行う撮像装置と、携帯電話、公衆電話または固定電話の利用者と前記訪問者との間の通話を行うためのドアホンとを備え、ネットワークおよび一般加入者電話回線に接続され、ドアホンから信号が送られてくると前記撮像装置を使用して前記留守宅の所定の場所の動画または静止画を撮影して画像データとして蓄積し、前記蓄積したデータを前記ネットワークを介してサーバへ送信し、前記携帯電話、公衆電話または固定電話から着信があると自動応答し、前記携帯電話、公衆電話または固定電話を利用した前記ドアホンを介した前記訪問者との間の直接通話を可能にすることを特徴とする。
【０００９】
本発明の監視端末装置は、訪問者の操作によりドアホンから信号が送られてくると撮像装置を使用して留守宅の所定の場所の動画または静止画を撮影して画像データとして蓄積し、前記蓄積したデータをネットワークを介してサーバへ送信し、携帯電話、公衆電話または固定電話から着信があると自動応答し、前記携帯電話、公衆電話または固定電話を利用した前記ドアホンを介した訪問者との間の直接通話を可能にするので、外出先から前記携帯電話、公衆電話または固定電話を利用して留守宅への来訪者に対応できる。
【００１０】
本発明に係る留守宅来訪者応対方法は、ドアホンの呼鈴が訪問者により押下されると撮像装置を起動させ、前記訪問者の動画もしくは静止画の撮影を開始させ、その画像データを収集し、日時データと共に記録し、前記画像データと訪問者情報をサーバへ送信する来訪者情報収集ステップと、前記画像データと訪問者情報の送信元を特定する送信元識別情報と、前記訪問者情報を受信する訪問者情報受信先を特定する訪問者情報受信先識別情報とをもとに、前記来訪者情報収集ステップにより収集され送信された前記画像データと前記訪問者情報を受信すると、前記訪問者情報受信先識別情報により特定される訪問者情報受信先の利用者端末装置へ、前記サーバが前記受信した画像データおよび前記訪問者情報を電子メールにて配信する配信ステップと、前記配信ステップにより配信された前記訪問者情報を前記利用者端末装置において受信した後、その利用者が行う発信操作により前記利用者端末装置を前記監視端末装置と接続し、前記利用者と前記訪問者との間でドアホンを介した通話を可能にする利用者端末装置接続ステップとを備えたことを特徴とする。
【００１１】
本発明の留守宅来訪者応対方法は、ドアホンの呼鈴が訪問者により押下されると撮像装置を起動させ、前記訪問者の動画もしくは静止画の撮影を開始させ、その画像データを収集し、日時データと共に記録し、前記画像データと訪問者情報をサーバへ送信し、前記サーバでは、前記画像データと訪問者情報の送信元を特定する送信元識別情報と、前記訪問者情報を受信する訪問者情報受信先を特定する訪問者情報受信先識別情報とをもとに、前記収集され送信された前記画像データと前記訪問者情報を受信すると、前記訪問者情報受信先識別情報により特定される訪問者情報受信先の利用者端末装置へ、前記受信した画像データおよび前記訪問者情報を電子メールにて配信し、前記配信された前記訪問者情報を前記利用者端末装置で受信すると、その利用者が行う発信操作により前記利用者端末装置が前記監視端末装置と接続され、前記利用者と前記訪問者との間でドアホンを介した通話が可能になるので、外出していても外出先の前記訪問者情報受信先における利用者端末装置から留守宅の来訪者に対応できる。
【００１２】
【発明の実施の形態】
以下、本発明の実施の一形態について説明する。
図１は、この実施の形態の留守宅来訪者応対方法が適用される留守宅監視システムの構成を示すシステム構成図である。
この留守宅監視画像送信システムは、留守宅の訪問者や施錠荒らし（以下、ピッキングという）行為をデジタルカメラなどで撮影し、インターネットを介して例えば家族に通知する。外出中の家族は通知された情報を確認し、来訪者を識別することが可能であるため、必要であればその場で携帯電話などを利用し通話することが出来る。また、携帯電話を含む携帯端末からの操作により照明を点灯させたり、警告音を発生させたり、警備会社へ通報するなど、来訪者に応じたさまざまな対応方法を選択しリアルタイムに対応することが出来るものである。
先ず、この留守宅監視画像送信システムの構成から説明すると、ネットワーク１００を介して接続された留守宅２００の端末３５、各種データの蓄積を行うサーバ４０、携帯電話５０、ＰＤＡなどの携帯端末６０、例えば留守宅２００の住人が勤めている会社の端末７０、警備会社の端末８０などから構成され、さらに公衆電話９０や一般回線を介して通話可能な固定電話９１なども含む。
【００１３】
留守宅２００の端末３５には、デジタルカメラ１０、ドアホン２０、ドアセンサ３０および窓センサ３８などが接続されている。また、端末３５にはスピーカ３７が設けられており、ネットワーク１００を介して送られてきた音声データを再生し音声として出力できる。端末３５はネットワーク１００ヘ接続され、訪問者がドアホンの呼鈴を押すとデジタルカメラ１０により撮影した画像データを蓄積する。またセキュリティとして、無断でドアが開くとドアセンサ３０の出力をもとに前記ドアが開いたときの前記デジタルカメラ１０が撮影した画像データを外出先の家人や警備会社の端末８０へ通報できる機能を有する。また、ドア以外の窓からの侵入者に対しては、窓センサ３８の働きで外出中の家人や警備会社の端末８０へ通報を行い、携帯電話５０や携帯端末６０へも警報データを送信できる機能を有している。また公衆電話９０や固定電話９１からは直接、受話器を介して留守宅２００の端末３５へ警告音や肉声の音声データを伝送し、スピーカ３７から警告音や肉声を出力し、不審者による盗難などを未然に防止できる。
【００１４】
また、ドア以外の窓から不審者が侵入した場合には、窓センサの働きで外出中の家人や警備会社へ通報を発し、携帯電話や携帯端末へも警報データを知らせ、電話機からは直接受話器を通し留守宅の端末３５へスピーカ３７を通して警告音や肉声を発し、不信者による盗難を防ぐためのセキュリティ機能を有している。
【００１５】
デジタルカメラ１０、ドアホン２０、ドアセンサ３０、スピーカ３７、窓センサ３８は留守宅２００の端末３５に接続され、端末３５はネットワーク１００および一般加入者電話回線に接続されている。
デジタルカメラ１０は市販のデジタルカメラであり留守宅の玄関先を撮影する位置に設置されており、訪問者がドアホン２０の呼鈴ボタンを押したときと無断でドアを開けたときに訪問者の撮影を開始して端末３５にリアルタイムな映像を送信する機能を有する。端末３５はパーソナルコンピュータなどの情報処理装置であり、ドアホン２０およびドアセンサ３０から信号が送られてくるとデジタルカメラ１０を使用して玄関先の動画または静止画を撮影して画像データとして蓄積する。端末３５は、前記蓄積したデータをネットワーク１００を介してサーバ４０へ送信する機能を備えている。また、端末３５は一般加入者電話回線に接続されており、外出先から端末３５へ電話をかけることにより、スピーカ３７を使用して不審者への警告を発することができる。また、外出先の携帯電話５０、公衆電話９０、固定電話９１から留守宅２００の端末３５へ着信があると、前記端末３５では自動応答し、前記携帯電話５０、公衆電話９０、固定電話９１からドアホンを通して直接、来訪者と通話ができる。
また、ドア以外の窓からの侵入には、窓センサ３８の働きにより直接契杓されている警備会社の端末８０へ端末３５より信号が送信され、前記警備会社の緊急警備対象になる機能を有する。
【００１６】
サーバ４０はネットワーク１００に接続される装置であり、端末３５から受信したデータを利用者ごとに振り分けて蓄積し、利用者が設定したメールアドレスの携帯電話５０、携帯端末６０、利用者の会社の端末７０や契約警備会社の端末８０へ送信する機能を備えている。
携帯電話５０は、メール機能を有した通話装置であり、サーバ４０からの訪問者データとドアセンサ３０と、窓センサ３８の異常検出により発生した警報をインターネットメール（特許請求の範囲の電子メールに相当）で受信する。また、訪問者データの要求をサーバ４０へ送信し、インターネットを介し訪問者データをサーバ４０より受信する。携帯電話がドアセンサ３０と窓センサ３８の異常検出により警報を受信した場合、直接、携帯電話から留守宅２００の端末３５に電話をかけ、スピーカ３７から家人の声や警告を発生させたり、家の照明を操作することにより盗難を未然に防止し、セキュリティを強化を図っている。
また、訪問者来訪中に留守宅２００の端末３５へ電話ををかけることにより、ドアホンを通して直接来訪者と通話ができる。
携帯端末６０は、ＰＤＡなどの市販の携帯端末装置である。ネットワーク１００により、サーバ４０から訪問者データをメール受信したり、ドアセンサ３０と窓センサ３８の異常検出により警報の受信を行う。また、訪問者データの要求送信をして、インターネットを介し訪問者の画像データをサーバ４０から受信する。
端末７０は、バーソナルコンピュータなどの情報処理装置であり、ＰＤＡと同様に会社において、ネットワーク１００を介してサーバ４０より訪問者データをメール受信し、ドアセンサ３０と窓センサ３８の異常検出により警報の受信を行う。また、訪問者データの要求送信をして、ネットワーク１００を介し訪問者データをサーバ４０から受信する。
【００１７】
端末８０は、警備会社のワークステーション・サーバ等の情報処理装置であり、ネットワーク１００のインターネット上に利用者が個々に契約を結び留守宅２００のセキュリティ強化を図る。そして、留守宅２００のドアセンサ３０と窓センサ３８の異常検出により警報の受信を行う。また、受信したデータをもとに、契約された条件で留守宅２００の警備にあたる。
【００１８】
次に、この留守宅監視画像送信システムの動作について説明する。
なお、以下の説明では、ネットワーク１００はインターネッ卜とする。また、携帯電話５０、携帯端末６０、端末７０を総称し「各利用者端末」と表現する。
図２から図６は、この実施の形態の留守宅監視システムにおける留守宅２００の端末３５、サーバ４０、前記各利用者端末、警備会社の端末８０の動作を示すフローチャートであり、図２は留守宅の端末３５の動作、図３はサーバ４０の動作、図４は前記各利用者端末側の動作、図５は端末８０による警備会社側の動作、図６は公衆電話や固定電話側の動作を示すフローチャートである。
先ず、端末３５は、ドアホンの呼鈴が押下されると（ステップＡ１）、デジタルカメラ１０を起動する（ステップＡ４）。デジタルカメラ１０は設定により動画もしくは静止画の撮影を開始し（ステップＡ５）、端末３５へ撮影したデータを送信する。また、端末３５はデジタルカメラ１０が撮影した映像を日時データと共に記録する（ステップＡ６）。端末３５は記録したデータがドアホンの呼鈴押下によるものであった場合（ステップＡ７）、撮影したデータと訪問者情報を訪間者データとしてネットワーク１００を介してサーバ４０へ送信する（ステップＡ９）。
【００１９】
図３に示すフローチャートに示すように、サーバ４０は端末３５からの情報を受信すると（ステップＢ２）、データとして内部へ蓄積する（ステップＢ３）。
サーバ４０は受信したデータが訪問者情報であった場合（ステップＢ４）、あらかじめ設定されている各利用者瑞末へインターネットメールを使用し通知する（ステップＢ５）。
各利用者端末は、図４のフローチャートに示すように、サーバ４０から訪間者情報を受信し（ステップＣ２）、利用者は訪問者が誰であるかを映像で確認する。
【００２０】
そして、前記利用者は携帯電話５０もしくは公衆電話９０、固定電話９１を用いて留守宅２００の端末３５へ電話をかけることにより（ステップＣ５）、端末３５を呼び出し（ステップＡ１１）、端末３５は自動的に受信し（ステップＡ１２）、前記利用者は携帯電話５０、公衆電話９０または固定電話９１からドアホン２０を使用してその場で訪問者と通話をすることが可能である（ステップＡ１５、ステップＡ１８）。
【００２１】
次に、図２に戻り、端末３５は、ドアに取り付けられたドアセンサ３０が振動や衝撃、錠前の異常などを検出すると（ステップＡ２）、デジタルカメラ１０を起動する（ステップＡ４）。デジタルカメラ１０は設定により、動面もしくは静止画の撮影を開始し（ステップＡ５）、端末３５へ撮影データ送信する。端末３５はデジタルカメラ１０が撮影した映像を日時データと共に記録する（ステップＡ６）。
端末３５は、記録したデータがドアセンサ異常検出によるものであった場合（ステップＡ７）、撮影データと警告情報をドアセンサ異常警報としてネットワーク１００を介してサーバ４０へ送信する（ステップＡ８）。
サーバ４０は端末３５からの情報を受信すると（ステップＢ２）、データとして内部へ蓄積する（ステップＢ３）。サーバ４０は受信したデータがドアセンサ異常警報であった場合（ステップＢ４、ステップＢ６）、あらかしめ設定されている利用者端末へ画像データと警報をインターネットメールを使用して通報する（ステップＢ７）。
また、契杓している警備会社の端末８０へドアセンサ異常警報として画像データと共に送信する（ステップＢ８）。各利用者端末は、サーバ４０からドアセンサ異常警報を受信し（ステップＣ１）、利用者は映像で状況を確認する。
利用者は任意で携帯電話５０もしくは公衆電話９０、固定電話９１を用いて留守宅２００の端末３５へ電話をかけることにより（ステップＣ４）、端末３５を呼び出し（ステップＡ１１）、端末３５では自動的に着信し（ステップＡ１２）、家屋の照明を点灯／消灯する等の操作（ステップＡ１３、ステップＡ１６）、スピーカ３７を使用した警告音の発生が可能になる（ステップＡ１４、ステップＡ１７）。
【００２２】
また、利用者は、警備会社により確認する必要があると判断すると（ステップＣ１０）、前記警備会社に対し留守宅２００へ出動を要請する（ステップＣ１１）。
また、図５のフローチャートに示すように、警備会社の端末８０は異常警報を受信し（ステップＤ１）、警報内容がドアセンサ異常警報であった場合（ステップＤ２）、受信した画像データをオペレータが確認し（ステップＤ１）、不審者やその行為を確認し（ステップＤ４）、利用者と連絡を取る（ステップＤ５）。
利用者は状況を確認し、必要である場合は警備会社へ出動要請を行い、前記整備会社は前記出動要請に応じて留守宅へ出動する（ステップＤ６）。
【００２３】
図２に戻り、次に、端末３５は留守宅２００の窓に取り付けられた窓センサ３８が異常を検出すると（ステップＡ３）、警告情報を窓センサ異常警報としてネットワーク１００を介してサーバ４０へ送信する（ステップＡ１０）。
サーバ４０は、図３に示すように、端末３５からの前記警報情報を受信すると（ステップＢ２）、データとして内部へ蓄積する（ステップＢ３）。サーバ４０は、受信したデータが窓センサ異常警報であった場合（ステップＢ４、ステップＢ６）、あらかしめ設定されている各利用者端末へ警報をインターネットメールを利用して通報する（ステップＢ９）。また、契杓している警備会社の端末８０へ窓センサ異常警報として送信する（ステップＢ８）。
【００２４】
この結果、図４に示すように、各利用者端末は、サーバ４０から窓センサ異常警報を受信すると（ステップＣ１）、窓センサ異常を伝えるメッセージを表示し利用者に警報を伝える。
利用者は任意で、携帯電話５０、公衆電話９０または固定電話９１を用いて留守宅２００の端末３５へ電話をかけることにより（ステップＣ４）、端末３５を呼び出し（ステップＡ１１）、端末３５に対し自動着信させ（ステップＡ１２）、家屋の照明を点灯／消灯するなどの操作を行うことや（ステップＡ１３、ステップＡ１６）、スピーカ３７を使用して警告音を発生させることができる（ステップＡ１４、ステップＡ１７）。また、利用者は、契杓警備会社へ連絡を取り（ステップＣ１０）、必要であれば留守宅２００へ出動を要請する（ステップＣ１１）。
また、図５に示すように、端末８０は、留守宅２００の端末３５から異常警報を受信し（ステップＤ１）、警報内容が窓センサ異常警報であると（ステップＤ２）、オペレータが利用者と連絡をとる（ステップＤ５）。利用者は状況を確認し、必要である場合には警備会社へ留守宅２００への出動を要請し、警備会社ではこの要請に応じて留守宅２００へ出動する（ステップＤ６）。
【００２５】
また、図４に示すように、各利用者端末は、ネットワーク１００を介してサーバ４０へ蓄積された訪問者情報や警報を参照することができる（ステップＣ３）。各利用者端末からサーバ４０へ情報要求を行うと（ステップＣ６）、サーバ４０は、要求命令を受信する（ステップＢ１）。この要求命令が受信されると、サーバ４０は蓄積された訪問者や警報の履歴を一覧表形式にして各利用者端末へ送信する（ステップＢ１０）。各利用者端末は蓄積された訪問者や警報の履歴の一覧表を受信するとそれを画面に表示する（ステップＣ７）。
また、利用者は任意で前記一覧の中から更に詳細な記録データを要求することができる（ステップＣ８）。前記一覧の中からさらに詳細な記録データを要求する場合、各利用者端末から記録データの要求をサーバ４０に対して行う（ステップＣ８）、サーバ４０は前記要求に応じたデータを各利用者端末へ送信する（ステップＢ５）。
各利用者端末は、サーバ４０より送信された記録データを受信し（ステップＣ９）、表示する。
【００２６】
以上のように、この実施の形態によれば、留守宅へ訪問者が訪れたことをリアルタイムで知ることができ、さらにその画像情報により人物の特定が可能であり、知人である場合には、本人に電話により外出中である旨を直接伝えることができるなど、来訪者に対し留守中であってもリアルタイムで対応できる留守宅監視システム、監視端末装置および留守宅来訪者応対方法を提供できる効果がある。
また、サーバ上に留守宅への来訪記録が残るため、時系列的にどのような訪問者が来訪したかを容易に参照できる留守宅監視システム、監視端末装置および留守宅来訪者応対方法を提供できる効果がある。
また、ピッキングの被害発生や、窓からの不審者の侵入をリアルタイムで知ることができ、また警備会社への通報も可能であることから、被害を最小限に抑えられる留守宅監視システム、監視端末装置および留守宅来訪者応対方法を提供できる効果がある。
【００２７】
【発明の効果】
本発明によれば、ドアホンの呼鈴が訪問者により押下されると撮像装置を起動させ、前記訪問者の動画もしくは静止画の撮影を開始させ、前記撮像装置が撮影した画像データを収集し、日時データと共に記録し、前記画像データと訪問者情報をサーバへ送信する、訪問者監視対象となる家屋に設けられた監視端末装置と、前記監視端末装置を特定する監視端末装置識別情報と訪問者情報を受信する訪問者情報受信先を特定する訪問者情報受信先識別情報とをもとに、前記監視端末装置から前記訪問者情報を受信すると、前記訪問者情報受信先識別情報により特定される訪問者情報受信先へ、前記監視端末装置から受信した前記画像データおよび前記訪問者情報を電子メールにて配信するサーバと、前記サーバから前記訪問者情報を受信した後、利用者により行われる発信操作により前記監視端末装置と接続され、前記利用者と前記訪問者との前記監視端末装置のドアホンを介した通話を可能にする前記訪問者情報受信先における利用者端末装置とを備えるように構成したので、外出先の前記訪問者情報受信先における利用者端末装置から留守宅のドアホンを介して前記留守宅の来訪者に応対できる効果がある。
【００２８】
本発明によれば、留守宅の所定の場所を撮影する位置に設置され、訪問者の撮影を行う撮像装置と、携帯電話、公衆電話または固定電話の利用者と前記訪問者との間の通話を行うためのドアホンとを備え、ネットワークおよび一般加入者電話回線に接続され、ドアホンから信号が送られてくると前記撮像装置を使用して前記留守宅の所定の場所の動画または静止画を撮影して画像データとして蓄積し、前記蓄積したデータを前記ネットワークを介してサーバへ送信し、前記携帯電話、公衆電話または固定電話から着信があると自動応答し、前記携帯電話、公衆電話または固定電話を利用した前記ドアホンを介した前記訪問者との間の直接通話を可能にするように構成したので、外出先の前記携帯電話、公衆電話または固定電話から留守宅のドアホンを介し、前記留守宅の訪問者と直接、通話することが出来、外出中であっても留守宅の訪問者に応対できる効果がある。
【００２９】
本発明によれば、ドアホンの呼鈴が訪問者により押下されると撮像装置を起動させ、前記訪問者の動画もしくは静止画の撮影を開始させ、その画像データを収集し、日時データと共に記録し、前記画像データと訪問者情報をサーバへ送信する来訪者情報収集ステップと、前記画像データと訪問者情報の送信元を特定する送信元識別情報と、前記訪問者情報を受信する訪問者情報受信先を特定する訪問者情報受信先識別情報とをもとに、前記来訪者情報収集ステップにより収集され送信された前記画像データと前記訪問者情報を受信すると、前記訪問者情報受信先識別情報により特定される訪問者情報受信先の利用者端末装置へ、前記サーバが前記受信した画像データおよび前記訪問者情報を電子メールにて配信する配信ステップと、前記配信ステップにより配信された前記訪問者情報を前記利用者端末装置において受信した後、その利用者が行う発信操作により前記利用者端末装置を前記監視端末装置と接続し、前記利用者と前記訪問者との間でドアホンを介した通話を可能にする利用者端末装置接続ステップとを備えるようにしたので、外出中の利用者は利用者端末装置から留守宅のドアホンを介して、留守中の訪問者に対し応対できる効果がある。
【図面の簡単な説明】
【図１】本発明の実施の一形態の留守宅監視システムの構成を示すシステム構成図である。
【図２】本発明の実施の一形態の留守宅監視システムにおける留守宅の端末の動作を示すフローチャートである。
【図３】本発明の実施の一形態の留守宅監視システムにおけるサーバの動作を示すフローチャートである。
【図４】本発明の実施の一形態の留守宅監視システムにおける携帯電話、携帯端末、利用者の会社の端末の動作を示すフローチャートである。
【図５】本発明の実施の一形態の留守宅監視システムにおける警備会社の端末の動作を示すフローチャートである。
【図６】本発明の実施の一形態の留守宅監視システムにおける公衆電話や固定電話により留守宅の訪問者とドアホンを介して通話を行う場合の動作を示すフローチャートである。
【符号の説明】
１０……デジタルカメラ（撮像装置）、３５……留守宅の端末、４０……サーバ、５０……携帯電話、６０……携帯端末、７０……会社の端末、８０……警備会社の端末、９０……公衆電話、９１……固定電話、１００……インターネット。
【図１】
2004128835.tif 000003
【図２】
2004128835.tif 000004
【図３】
2004128835.tif 000005
【図４】
2004128835.tif 000006
【図５】
2004128835.tif 000007
【図６】
2004128835.tif 000008